(57)【要約】  複数の容器を少なくとも部分的に保持するキャリア。キャリアは、ボトムパネルと、ボトムパネルに折り曲げ可能に接続されている第１のサイドパネルと、ボトムパネルに折り曲げ可能に接続されている第２のサイドパネルと、第１のサイドパネルに折り曲げ可能に接続されている第１のトップパネルと、第２のサイドパネルに折り曲げ可能に接続されている第２のトップパネルとを含む複数のパネルを含むことができる。少なくとも１つの容器受け入れ機能部が少なくともボトムパネル内に延在する。少なくとも１つの容器受け入れ機能部は、複数の容器のうちの少なくとも１つの容器を少なくとも部分的に受け入れることができる。少なくとも１つの保持フラップが第１のトップパネル又は第２のトップパネルに折り曲げ可能に接続されている。少なくとも１つの保持フラップは、少なくとも１つの容器のフランジの少なくとも一部と係合する。【選択図】図２
2013526467.tif 000002
【特許請求の範囲】
【請求項１】
複数の容器を少なくとも部分的に保持するキャリアであって、前記複数の容器の各容器はフランジを含み、前記キャリアは、
少なくとも部分的に前記キャリアの内部の回りに延在する複数のパネルであって、ボトムパネルと、前記ボトムパネルに折り曲げ可能に接続されている第１のサイドパネルと、前記ボトムパネルに折り曲げ可能に接続されている第２のサイドパネルと、前記第１のサイドパネルに折り曲げ可能に接続されている第１のトップパネルと、前記第２のサイドパネルに折り曲げ可能に接続されている第２のトップパネルとを含む、複数のパネルと、
少なくとも前記ボトムパネル内に延在する少なくとも１つの容器受け入れ機能部であって、前記複数の容器のうちの少なくとも１つの容器を少なくとも部分的に受け入れる、少なくとも１つの容器受け入れ機能部と、
前記第１のトップパネルに折り曲げ可能に接続されている第１の保持フラップ、及び前記第２のトップパネルに折り曲げ可能に接続されている第２の保持フラップであって、前記第１の保持フラップ及び前記第２の保持フラップのうちの少なくとも一方は前記複数の容器のうちの少なくとも１つの容器の前記フランジの少なくとも一部と係合する、第１の保持フラップ及び第２の保持フラップと、
を備える、キャリア。
【請求項２】
前記複数の容器の各容器は、少なくとも、前記第１のサイドパネルに概ね隣接して延在する第１の列、及び前記第２のサイドパネルに概ね隣接して延在する第２の列に位置決めされる、請求項１に記載のキャリア。
【請求項３】
前記第１の保持フラップは、前記第１の列の前記少なくとも１つの容器の前記フランジを少なくとも部分的に受け入れる第１の近位部分と、前記第２の列の前記少なくとも１つの容器の前記フランジと少なくとも部分的に係合する第１の遠位部分とを含む、請求項２に記載のキャリア。
【請求項４】
前記第２の保持フラップは、前記第２の列の前記少なくとも１つの容器の前記フランジを少なくとも部分的に受け入れる第２の近位部分と、前記第１の保持フラップの前記第１の遠位部分と少なくとも部分的に対面接触する第２の遠位部分とを含む、請求項３に記載のキャリア。
【請求項５】
前記第２の保持フラップの前記第２の遠位部分は、前記フランジに近接して前記第１の列の前記少なくとも１つの容器と少なくとも部分的に係合する、請求項４に記載のキャリア。
【請求項６】
前記第１の近位部分及び前記第２の近位部分は、前記第１のトップパネル及び前記第２のトップパネルのそれぞれに折り曲げ可能に接続されており、前記第１の遠位部分及び前記第２の遠位部分は、前記第１の近位部分及び前記第２の近位部分のそれぞれに折り曲げ可能に接続されている、請求項４に記載のキャリア。
【請求項７】
前記第１の保持フラップ及び前記第２の保持フラップのそれぞれの前記第１の近位部分及び前記第２の近位部分のそれぞれは、前記第１の列又は前記第２の列のそれぞれの前記少なくとも１つの容器を少なくとも部分的に受け入れる少なくとも１つの開口部を画定している、請求項６に記載のキャリア。
【請求項８】
前記第１の保持フラップ及び前記第２の保持フラップのそれぞれの前記第１の遠位部分及び前記第２の遠位部分のそれぞれは、前記第１の保持フラップ及び前記第２の保持フラップのそれぞれの前記第１の近位部分及び前記第２の近位部分のそれぞれの前記少なくとも１つの開口部に隣接して延在する少なくとも１つのタブを含む、請求項７に記載のキャリア。
【請求項９】
前記第１のサイドパネル及び前記第２のサイドパネルのそれぞれは、前記第１の列又は前記第２の列のそれぞれの前記少なくとも１つの容器を受け入れる少なくとも１つのサイド開口部を画定している、請求項７に記載のキャリア。
【請求項１０】
少なくとも前記第１のトップパネル内に延在する少なくとも１つの第１の開封機能部と、少なくとも前記第２のトップパネル内に延在する少なくとも１つの第２の開封機能部とを更に備え、前記第１の開封機能部及び前記第２の開封機能部のそれぞれの少なくとも一部は、前記第１の保持フラップ及び前記第２の保持フラップのそれぞれの前記第１の近位部分及び前記第２の近位部分のそれぞれの前記少なくとも１つの開口部に隣接して延在する、請求項６に記載のキャリア。
【請求項１１】
前記少なくとも１つの容器受け入れ機能部は、少なくとも１つの第１の容器受け入れ機能部と少なくとも１つの第２の容器受け入れ機能部とを含み、前記少なくとも１つの第１の容器受け入れ機能部は、前記第１の列の少なくとも１つの容器を少なくとも部分的に受け入れ、前記少なくとも１つの第２の容器受け入れ機能部は、前記第２の列の少なくとも１つの容器を少なくとも部分的に受け入れる、請求項２に記載のキャリア。
【請求項１２】
前記第１のサイドパネルは、第１の横折り線に沿って前記ボトムパネルに折り曲げ可能に接続されており、前記第２のサイドパネルは、第２の横折り線に沿って前記ボトムパネルに折り曲げ可能に接続されており、
前記少なくとも１つの第１の容器受け入れ機能部は、前記第１の横折り線に沿って前記第１のサイドパネルに折り曲げ可能に接続されている第１の外側ブレースフラップと、第３の横折り線に沿って前記ボトムパネルに折り曲げ可能に接続されている第１の内側ブレースフラップとを含み、
前記少なくとも１つの第２の容器受け入れ機能部は、前記第２の横折り線に沿って前記第２のサイドパネルに折り曲げ可能に接続されている第２の外側ブレースフラップと、第４の横折り線に沿って前記ボトムパネルに折り曲げ可能に接続されている第２の内側ブレースフラップとを含む、請求項１１に記載のキャリア。
【請求項１３】
前記第１の外側ブレースフラップ及び前記第２の外側ブレースフラップのそれぞれは、前記複数の容器のうちの少なくとも１つの容器の前記フランジと少なくとも部分的に係合する第１の上縁を含み、
前記第１の内側ブレースフラップ及び前記第２の内側ブレースフラップのそれぞれは、前記第１の保持フラップ及び前記第２の保持フラップのうちの少なくとも一方と少なくとも部分的に係合する第２の上縁を含み、
前記第１の外側ブレースフラップ及び前記第２の外側ブレースフラップの前記第１の上縁のそれぞれは、前記第１の横折り線及び前記第２の横折り線のそれぞれから第１の距離だけ離間しており、前記第１の内側ブレースフラップ及び前記第２の内側ブレースフラップの前記第２の上縁のそれぞれは、前記第３の横折り線及び前記第４の横折り線のそれぞれから第２の距離だけ離間しており、前記第１の距離は前記第２の距離よりも大きい、請求項１２に記載のキャリア。
【請求項１４】
前記少なくとも１つの容器受け入れ機能部は第１のブレースフラップと第２のブレースフラップとを含み、前記第１のブレースフラップ及び前記第２のブレースフラップは概ね縦方向に延在する、請求項２に記載のキャリア。
【請求項１５】
前記少なくとも１つの容器受け入れ機能部は、前記複数の容器のうちの少なくとも２つの容器を少なくとも部分的に受け入れ、
前記少なくとも２つの容器は、前記第１の列の少なくとも１つの容器と前記第２の列の少なくとも１つの容器とを含み、
前記少なくとも１つの容器受け入れ機能部の前記第１のブレースフラップ及び前記第２のブレースフラップのそれぞれは、前記少なくとも１つの容器受け入れ機能部に少なくとも部分的に受け入れられる前記少なくとも２つの容器の前記フランジと少なくとも部分的に係合する、請求項１４に記載のキャリア。
【請求項１６】
前記第１のブレースフラップ及び前記第２のブレースフラップのそれぞれは、リセスを画定している上縁を含み、各リセスは、前記第１の保持フラップ及び前記第２の保持フラップのうちの少なくとも一方を少なくとも部分的に受け入れ、
前記第１のブレースフラップ及び前記第２のブレースフラップのそれぞれは、それぞれの縦方向折り線に沿って前記ボトムパネルに折り曲げ可能に接続されている、請求項１５に記載のキャリア。
【請求項１７】
前記少なくとも１つの容器受け入れ機能部の前記第１のブレースフラップ及び前記第２のブレースフラップのそれぞれは、前記複数の容器のうちの少なくとも１つの容器の肩部分を少なくとも部分的に受け入れる少なくとも１つのブレース開口部を画定している、請求項１４に記載のキャリア。
【請求項１８】
少なくとも前記第１のサイドパネル内に延在する第１の開封機能部と、少なくとも前記第２のサイドパネル内に延在する第２の開封機能部とを少なくとも更に備え、前記第１の開封機能部及び前記第２の開封機能部のそれぞれは、少なくとも前記第１のサイドパネル及び前記第２のサイドパネル内のそれぞれに延在する２つの離間した縦方向引き裂き線を含む、請求項１に記載のキャリア。
【請求項１９】
前記第１の開封機能部及び前記第２の開封機能部のそれぞれは、前記第１のトップパネル及び前記第２のトップパネルのそれぞれを少なくとも部分的に横切って延在する、請求項１８に記載のキャリア。
【請求項２０】
前記第１の保持フラップ及び前記第２の保持フラップのうちの少なくとも一方は概ねＶ字形状である、請求項１に記載のキャリア。
【請求項２１】
請求項１に記載の前記キャリアと、前記キャリア内に保持される前記複数の容器とを含む、パッケージ。
【請求項２２】
複数の容器を少なくとも部分的に保持するキャリアであって、前記複数の容器の各容器はフランジを含み、前記キャリアは、
少なくとも部分的に前記キャリアの内部の回りに延在する複数のパネルであって、ボトムパネルと、前記ボトムパネルに折り曲げ可能に接続されている第１のサイドパネルと、前記ボトムパネルに折り曲げ可能に接続されている第２のサイドパネルと、前記第１のサイドパネルに折り曲げ可能に接続されている第１のトップパネルと、前記第２のサイドパネルに折り曲げ可能に接続されている第２のトップパネルとを含む、複数のパネルと、
少なくとも前記ボトムパネル内に延在する少なくとも１つの容器受け入れ機能部であって、前記複数の容器のうちの少なくとも２つの容器を少なくとも部分的に受け入れ、第１のブレースフラップと第２のブレースフラップとを少なくとも含み、前記第１のブレースフラップ及び前記第２のブレースフラップのそれぞれは概ね縦方向に延在する、少なくとも１つの容器受け入れ機能部と、
を備える、キャリア。
【請求項２３】
前記少なくとも１つの容器受け入れ機能部に少なくとも部分的に受け入れられる前記少なくとも２つの容器は、前記第１のサイドパネルに概ね隣接して延在する第１の列の少なくとも１つの容器と、前記第２のサイドパネルに概ね隣接して延在する第２の列の少なくとも１つの容器とを含む、請求項２２に記載のキャリア。
【請求項２４】
前記少なくとも１つの容器受け入れ機能部の前記第１のブレースフラップ及び前記第２のブレースフラップのそれぞれは、前記少なくとも１つの容器受け入れ機能部に少なくとも部分的に受け入れられる前記少なくとも２つの容器の前記フランジと少なくとも部分的に係合する、請求項２３に記載のキャリア。
【請求項２５】
前記第１のブレースフラップ及び前記第２のブレースフラップのそれぞれは、第１の縦方向折り線及び第２の縦方向折り線のそれぞれに沿って前記ボトムパネルに折り曲げ可能に接続されており、
前記第１のブレースフラップ及び前記第２のブレースフラップのそれぞれの少なくとも一部は、前記ボトムパネルから少なくとも１つの湾曲した切れ目線に沿って離間している、請求項２３に記載のキャリア。
【請求項２６】
前記第１のブレースフラップ及び前記第２のブレースフラップのそれぞれは、前記ボトムパネルから、前記第１のブレースフラップ及び前記第２のブレースフラップのそれぞれの各端において斜めの切れ目線に沿って更に離間している、請求項２５に記載のキャリア。
【請求項２７】
前記第１のサイドパネル及び前記第２のサイドパネルのそれぞれは、前記第１の列又は前記第２の列のそれぞれの前記複数の容器のうち或る容器を少なくとも部分的に受け入れる少なくとも１つのサイド開口部を画定している、請求項２３に記載のキャリア。
【請求項２８】
前記少なくとも１つの容器受け入れ機能部は少なくとも３つの容器受け入れ機能部を含む、請求項２３に記載のキャリア。
【請求項２９】
前記少なくとも１つの容器受け入れ機能部の前記第１のブレースフラップ及び前記第２のブレースフラップのそれぞれは、前記複数の容器のうち或る容器の肩部分を少なくとも部分的に受け入れる少なくとも１つのブレースフラップ開口部を画定している、請求項２２に記載のキャリア。
【請求項３０】
少なくとも前記第１のサイドパネル内に延在する第１の開封機能部と、少なくとも前記第２のサイドパネル内に延在する第２の開封機能部とを少なくとも更に備え、前記第１の開封機能部及び前記第２の開封機能部のそれぞれは、少なくとも前記第１のサイドパネル及び前記第２のサイドパネル内のそれぞれに延在する２つの離間した引き裂き線を含む、請求項２２に記載のキャリア。
【請求項３１】
保持フラップが、前記第２のトップパネルに折り曲げ可能に接続されており、前記複数の容器のうち或る容器の前記フランジの少なくとも一部と係合する、請求項２２に記載のキャリア。
【請求項３２】
前記第１のブレースフラップ及び前記第２のブレースフラップのそれぞれは、リセスを画定する上縁を含み、各リセスは前記保持フラップの少なくとも一部を受け入れる、請求項３１に記載のキャリア。
【請求項３３】
前記少なくとも１つの容器受け入れ機能部に少なくとも部分的に受け入れられる前記少なくとも２つの容器は、前記第１のサイドパネルに概ね隣接して延在する第１の列の少なくとも１つの容器と、前記第２のサイドパネルに概ね隣接して延在する第２の列の少なくとも１つの容器とを含み、
前記保持フラップは、前記第２のトップパネルに折り曲げ可能に接続されている近位部分と、前記近位部分に折り曲げ可能に接続されている遠位部分とを含み、
前記近位部分は、前記第２の列の前記少なくとも１つの容器を少なくとも部分的に受け入れる少なくとも１つの開口部を画定し、
前記遠位部分は、前記第１の列の前記少なくとも１つの容器の前記フランジと少なくとも部分的に係合する、請求項３１に記載のキャリア。
【請求項３４】
前記保持フラップの前記遠位部分は、湾曲縁を有する少なくとも１つのタブを含み、前記少なくとも１つのタブは前記保持フラップの前記近位部分の前記少なくとも１つの開口部に隣接して延在する、請求項３３に記載のキャリア。
【請求項３５】
前記第１のトップパネルは前記第２のトップパネルと少なくとも部分的に重なる、請求項２２に記載のキャリア。
【請求項３６】
請求項２２に記載の前記キャリアと、前記キャリア内に保持される前記複数の容器とを含む、パッケージ。
【請求項３７】
複数の容器を少なくとも部分的に保持するキャリアを形成するためのブランクであって、前記複数の容器の各容器はフランジを含み、前記ブランクは、
複数のパネルであって、ボトムパネルと、前記ボトムパネルに折り曲げ可能に接続されている第１のサイドパネルと、前記ボトムパネルに折り曲げ可能に接続されている第２のサイドパネルと、前記第１のサイドパネルに折り曲げ可能に接続されている第１のトップパネルと、前記第２のサイドパネルに折り曲げ可能に接続されている第２のトップパネルとを含む、複数のパネルと、
少なくとも前記ボトムパネル内に延在する少なくとも１つの容器受け入れ機能部であって、前記キャリアが前記ブランクから形成されるときに、前記複数の容器のうちの少なくとも１つの容器を少なくとも部分的に受け入れる、少なくとも１つの容器受け入れ機能部と、
前記第１のトップパネルに折り曲げ可能に接続されている第１の保持フラップ、及び前記第２のトップパネルに折り曲げ可能に接続されている第２の保持フラップであって、前記第１の保持フラップ及び前記第２の保持フラップのうちの少なくとも一方は、前記キャリアが前記ブランクから形成されるときに、前記複数の容器のうちの少なくとも１つの容器の前記フランジの少なくとも一部と係合する、第１の保持フラップ及び第２の保持フラップと、
を備える、ブランク。
【請求項３８】
前記複数の容器の各容器は、前記キャリアが前記ブランクから形成されるときに、少なくとも、前記第１のサイドパネルに概ね隣接して延在する第１の列と、前記第２のサイドパネルに概ね隣接して延在する第２の列とに位置決めされる、請求項３７に記載のブランク。
【請求項３９】
前記第１の保持フラップは、前記キャリアが前記ブランクから形成されるときに、前記第１の列の前記少なくとも１つの容器の前記フランジを少なくとも部分的に受け入れる第１の近位部分と、前記第２の列の前記少なくとも１つの容器の前記フランジに少なくとも部分的に係合する第１の遠位部分とを含む、請求項３８に記載のブランク。
【請求項４０】
前記第２の保持フラップは、前記キャリアが前記ブランクから形成されるときに、前記第２の列の前記少なくとも１つの容器の前記フランジを少なくとも部分的に受け入れる第２の近位部分と、前記第１の保持フラップの前記第１の遠位部分と少なくとも部分的に対面接触するように位置決めされる第２の遠位部分とを含む、請求項３９に記載のブランク。
【請求項４１】
前記第２の保持フラップの前記第２の遠位部分は、前記キャリアが前記ブランクから形成されるときに、前記フランジに近接して前記第１の列の前記少なくとも１つの容器と少なくとも部分的に係合する、請求項４０に記載のブランク。
【請求項４２】
前記第１の近位部分及び前記第２の近位部分は、前記第１のトップパネル及び前記第２のトップパネルのそれぞれに折り曲げ可能に接続されており、前記第１の遠位部分及び前記第２の遠位部分は、前記第１の近位部分及び前記第２の近位部分のそれぞれに折り曲げ可能に接続されている、請求項４０に記載のブランク。
【請求項４３】
前記第１の保持フラップ及び前記第２の保持フラップのそれぞれの前記第１の近位部分及び前記第２の近位部分のそれぞれは、前記キャリアが前記ブランクから形成されるときに、前記第１の列又は前記第２の列のそれぞれの前記少なくとも１つの容器を少なくとも部分的に受け入れる少なくとも１つの開口部を画定する、請求項４２に記載のブランク。
【請求項４４】
前記第１の保持フラップ及び前記第２の保持フラップのそれぞれの前記第１の遠位部分及び前記第２の遠位部分のそれぞれは、前記第１の保持フラップ及び前記第２の保持フラップのそれぞれの前記第１の近位部分及び前記第２の近位部分のそれぞれの前記少なくとも１つの開口部に隣接して延在する少なくとも１つのタブを含む、請求項４３に記載のブランク。
【請求項４５】
前記第１のサイドパネル及び前記第２のサイドパネルのそれぞれは、前記キャリアが前記ブランクから形成されるときに、前記第１の列又は前記第２の列のそれぞれの前記少なくとも１つの容器を受け入れる少なくとも１つのサイド開口部を画定する、請求項４３に記載のブランク。
【請求項４６】
前記少なくとも１つの容器受け入れ機能部は、少なくとも１つの第１の容器受け入れ機能部と少なくとも１つの第２の容器受け入れ機能部とを含み、前記キャリアが前記ブランクから形成されるときに、前記少なくとも１つの第１の容器受け入れ機能部は、前記第１の列の少なくとも１つの容器を少なくとも部分的に受け入れ、前記少なくとも１つの第２の容器受け入れ機能部は、前記第２の列の少なくとも１つの容器を少なくとも部分的に受け入れる、請求項３８に記載のブランク。
【請求項４７】
前記第１のサイドパネルは、第１の横折り線に沿って前記ボトムパネルに折り曲げ可能に接続されており、前記第２のサイドパネルは、第２の横折り線に沿って前記ボトムパネルに折り曲げ可能に接続されており、
前記少なくとも１つの第１の容器受け入れ機能部は、前記第１の横折り線に沿って前記第１のサイドパネルに折り曲げ可能に接続されている第１の外側ブレースフラップと、第３の横折り線に沿って前記ボトムパネルに折り曲げ可能に接続されている第１の内側ブレースフラップとを含み、
前記少なくとも１つの第２の容器受け入れ機能部は、前記第２の横折り線に沿って前記第２のサイドパネルに折り曲げ可能に接続されている第２の外側ブレースフラップと、第４の横折り線に沿って前記ボトムパネルに折り曲げ可能に接続されている第２の内側ブレースフラップとを含む、請求項４６に記載のブランク。
【請求項４８】
前記第１の外側ブレースフラップは、前記第１の内側ブレースフラップから第１の横切れ目線に沿って分離可能であり、前記第２の外側ブレースフラップは、前記第２の内側ブレースフラップから第２の横切れ目線に沿って分離可能であり、
前記第１の横切れ目線及び前記第２の横切れ目線のそれぞれは、前記第１の横折り線及び前記第２の横折り線のそれぞれから第１の距離だけ離間しており、前記第１の横切れ目線及び前記第２の横切れ目線のそれぞれは、前記第３の横折り線及び前記第４の横折り線のそれぞれから第２の距離だけ離間しており、
前記第１の距離は前記第２の距離よりも大きい、請求項４７に記載のブランク。
【請求項４９】
前記少なくとも１つの容器受け入れ機能部は第１のブレースフラップと第２のブレースフラップとを含み、前記第１のブレースフラップ及び前記第２のブレースフラップは概ね縦方向に延在する、請求項３８に記載のブランク。
【請求項５０】
前記少なくとも１つの容器受け入れ機能部は、前記キャリアが前記ブランクから形成されるときに、前記第１の列の少なくとも１つの容器と、前記第２の列の少なくとも１つの容器とを少なくとも部分的に受け入れる、請求項４９に記載のブランク。
【請求項５１】
前記第１のブレースフラップ及び前記第２のブレースフラップのそれぞれは、それぞれの縦方向折り線に沿って前記ボトムパネルに折り曲げ可能に接続されている、請求項５０に記載のブランク。
【請求項５２】
少なくとも前記第１のサイドパネル内に延在する第１の開封機能部と、少なくとも前記第２のサイドパネル内に延在する第２の開封機能部とを少なくとも更に備え、前記第１の開封機能部及び前記第２の開封機能部のそれぞれは、少なくとも前記第１のサイドパネル及び前記第２のサイドパネル内のそれぞれに延在する２つの離間した縦方向引き裂き線を含む、請求項３７に記載のブランク。
【請求項５３】
複数の容器を少なくとも部分的に保持するキャリアを形成するためのブランクであって、前記複数の容器の各容器はフランジを含み、前記ブランクは、
複数のパネルであって、ボトムパネルと、前記ボトムパネルに折り曲げ可能に接続されている第１のサイドパネルと、前記ボトムパネルに折り曲げ可能に接続されている第２のサイドパネルと、前記第１のサイドパネルに折り曲げ可能に接続されている第１のトップパネルと、前記第２のサイドパネルに折り曲げ可能に接続されている第２のトップパネルとを含む、複数のパネルと、
少なくとも前記ボトムパネル内に延在する少なくとも１つの容器受け入れ機能部であって、前記キャリアから前記ブランクが形成されるときに、前記複数の容器のうちの少なくとも２つの容器を少なくとも部分的に受け入れ、第１のブレースフラップと第２のブレースフラップとを少なくとも含み、前記第１のブレースフラップ及び前記第２のブレースフラップのそれぞれは概ね縦方向に延在する、少なくとも１つの容器受け入れ機能部と、
を備える、ブランク。
【請求項５４】
前記少なくとも１つの容器受け入れ機能部は、前記キャリアが前記ブランクから形成されるときに、前記第１のサイドパネルに概ね隣接して延在する第１の列の少なくとも１つの容器と、前記第２のサイドパネルに概ね隣接して延在する第２の列の少なくとも１つの容器とを少なくとも部分的に受け入れる、請求項５３に記載のブランク。
【請求項５５】
前記第１のブレースフラップ及び前記第２のブレースフラップのそれぞれは、第１の縦方向折り線及び第２の縦方向折り線のそれぞれに沿って前記ボトムパネルに折り曲げ可能に接続されており、
前記第１のブレースフラップ及び前記第２のブレースフラップのそれぞれの少なくとも一部は、前記ボトムパネルから少なくとも１つの湾曲した切れ目線に沿って離間している、請求項５４に記載のブランク。
【請求項５６】
前記第１のブレースフラップ及び前記第２のブレースフラップのそれぞれは、前記ボトムパネルから、前記第１のブレースフラップ及び前記第２のブレースフラップのそれぞれの各端において斜めの切れ目線に沿って更に離間している、請求項５５に記載のブランク。
【請求項５７】
前記第１のサイドパネル及び前記第２のサイドパネルのそれぞれは、前記キャリアが前記ブランクから形成されるときに、前記第１の列又は前記第２の列のそれぞれの前記複数の容器のうち或る容器を少なくとも部分的に受け入れる少なくとも１つのサイド開口部を画定する、請求項５４に記載のブランク。
【請求項５８】
前記少なくとも１つの容器受け入れ機能部は少なくとも３つの容器受け入れ機能部を含む、請求項５４に記載のブランク。
【請求項５９】
少なくとも前記第１のサイドパネル内に延在する第１の開封機能部と、少なくとも前記第２のサイドパネル内に延在する第２の開封機能部とを少なくとも更に備え、前記第１の開封機能部及び前記第２の開封機能部のそれぞれは、少なくとも前記第１のサイドパネル及び前記第２のサイドパネル内のそれぞれに延在する２つの離間した引き裂き線を含む、請求項５３に記載のブランク。
【請求項６０】
前記キャリアが前記ブランクから形成されるときに、前記複数の容器のうち或る容器の前記フランジの少なくとも一部と係合する保持フラップが、前記第２のトップパネルに折り曲げ可能に接続される、請求項５３に記載のブランク。
【請求項６１】
前記第１のブレースフラップ及び前記第２のブレースフラップのそれぞれは、リセスを画定している上縁を含み、各リセスは、前記キャリアが前記ブランクから形成されるときに、前記保持フラップの少なくとも一部を受け入れる、請求項６０に記載のブランク。
【請求項６２】
前記保持フラップは、前記第２のトップパネルに折り曲げ可能に接続されている近位部分と、前記近位部分に折り曲げ可能に接続されている遠位部分とを含み、
前記近位部分は、前記キャリアが前記ブランクから形成されるときに、前記複数の容器のうち或る容器の前記フランジを少なくとも部分的に受け入れる少なくとも１つの開口部を画定し、
前記遠位部分は、前記キャリアが前記ブランクから形成されるときに、前記複数の容器のうち或る容器の前記フランジと少なくとも部分的に係合する、請求項６０に記載のブランク。
【請求項６３】
複数の容器を少なくとも部分的に保持するキャリアを形成する方法であって、前記複数の容器の各容器はフランジを含み、前記方法は、
ボトムパネルと、前記ボトムパネルに折り曲げ可能に接続されている第１のサイドパネルと、前記ボトムパネルに折り曲げ可能に接続されている第２のサイドパネルと、前記第１のサイドパネルに折り曲げ可能に接続されている第１のトップパネルと、前記第２のサイドパネルに折り曲げ可能に接続されている第２のトップパネルと、前記第１のトップパネルに折り曲げ可能に接続されている第１の保持フラップと、前記第２のトップパネルに折り曲げ可能に接続されている第２の保持フラップとを含む複数のパネルを含むブランクを得ることであって、少なくとも１つの容器受け入れ機能部が少なくとも前記ボトムパネル内に延在する、ブランクを得ることと、
前記複数の容器のうちの少なくとも１つの容器の少なくとも一部を前記少なくとも１つの容器受け入れ機能部に挿入することと、
前記複数のパネルによって少なくとも部分的に画定される前記キャリアの内部を形成することであって、前記複数の容器の各容器の前記フランジは前記キャリアの前記内部において少なくとも部分的に包囲される、形成することと、
前記第１の保持フラップ及び前記第２の保持フラップのうちの少なくとも一方を、前記複数の容器のうちの少なくとも１つの容器の前記フランジの少なくとも一部と係合させるように位置決めすることと、
を含む、方法。
【請求項６４】
前記少なくとも１つの容器受け入れ機能部は少なくとも１つの第１の容器受け入れ機能部と少なくとも１つの第２の容器受け入れ機能部とを含み、
前記少なくとも１つの第１の容器受け入れ機能部は、第１の横折り線に沿って前記第１のサイドパネルに折り曲げ可能に接続されている第１の外側ブレースフラップと、第２の横折り線に沿って前記ボトムパネルに折り曲げ可能に接続されている第１の内側ブレースフラップとを含み、
前記少なくとも１つの第２の容器受け入れ機能部は、第３の横折り線に沿って前記第２のサイドパネルに折り曲げ可能に接続されている第２の外側ブレースフラップと、第４の横折り線に沿って前記ボトムパネルに折り曲げ可能に接続されている第２の内側ブレースフラップとを含む、請求項６３に記載の方法。
【請求項６５】
前記少なくとも１つの容器の少なくとも一部を前記少なくとも１つの容器受け入れ機能部に挿入することは、第１の列の少なくとも１つの容器を前記少なくとも１つの第１の容器受け入れ機能部に少なくとも部分的に挿入することであって、それによって、前記第１の外側ブレースフラップ及び前記第１の内側ブレースフラップのそれぞれを前記第１の列の前記少なくとも１つの容器の前記フランジと係合させる、少なくとも部分的に挿入することと、第２の列の少なくとも１つの容器を前記少なくとも１つの第２の容器受け入れ機能部に少なくとも部分的に挿入することであって、それによって、前記第２の外側ブレースフラップ及び前記第２の内側ブレースフラップのそれぞれを前記第２の列の前記少なくとも１つの容器の前記フランジと係合させる、少なくとも部分的に挿入することとを含む、請求項６４に記載の方法。
【請求項６６】
前記第１の保持フラップは、前記第１のトップパネルに折り曲げ可能に接続されている第１の近位部分と、前記第１の近位部分に折り曲げ可能に接続されている第１の遠位部分とを含み、
前記第２の保持フラップは、前記第２のトップパネルに折り曲げ可能に接続されている第２の近位部分と、前記第１の近位部分に折り曲げ可能に接続されている第２の遠位部分とを含み、
前記方法は、前記第１の近位部分を、前記第１の列の前記少なくとも１つの容器と少なくとも部分的に係合させるように位置決めするとともに、前記第１の遠位部分を、前記第２の列の前記少なくとも１つの容器と少なくとも部分的に係合させるように位置決めすることと、前記第２の近位部分を、前記第２の列の前記少なくとも１つの容器と少なくとも部分的に係合させるように位置決めするとともに、前記第２の遠位部分を、前記第１の列の前記少なくとも１つの容器と少なくとも部分的に係合させるように位置決めすることとを更に含む、請求項６５に記載の方法。
【請求項６７】
前記少なくとも１つの容器受け入れ機能部は、第１の縦方向折り線に沿って前記ボトムパネルに折り曲げ可能に接続されている第１のブレースフラップと、第２の縦方向折り線に沿って前記ボトムパネルに折り曲げ可能に接続されている第２のブレースフラップとを含み、
前記少なくとも１つの容器の少なくとも一部を前記少なくとも１つの容器受け入れ機能部に挿入することは、第１の容器を第１の列の前記少なくとも１つの容器受け入れ機能部に少なくとも部分的に挿入することと、第２の容器を第２の列の前記少なくとも１つの容器受け入れ機能部に少なくとも部分的に挿入することとを含み、
前記第１のブレースフラップ及び前記第２のブレースフラップのそれぞれは、前記第１の容器の前記フランジ及び前記第２の容器の前記フランジと少なくとも部分的に係合する、請求項６３に記載の方法。
【請求項６８】
複数の容器を少なくとも部分的に保持するキャリアを形成する方法であって、前記複数の容器の各容器はフランジを含み、前記方法は、
ボトムパネルと、前記ボトムパネルに折り曲げ可能に接続されている第１のサイドパネルと、前記ボトムパネルに折り曲げ可能に接続されている第２のサイドパネルと、前記第１のサイドパネルに折り曲げ可能に接続されている第１のトップパネルと、前記第２のサイドパネルに折り曲げ可能に接続されている第２のトップパネルとを含む複数のパネルを含むブランクを得ることであって、少なくとも１つの容器受け入れ機能部は、少なくとも前記ボトムパネル内に延在し、少なくとも第１のブレースフラップと第２のブレースフラップとを含み、前記第１のブレースフラップ及び前記第２のブレースフラップのそれぞれは概ね縦方向に延在する、ブランクを得ることと、
前記複数の容器のうちの第１の容器の少なくとも一部及び前記複数の容器のうちの第２の容器の少なくとも一部を前記少なくとも１つの容器受け入れ機能部に挿入することと、
前記複数のパネルによって少なくとも部分的に画定される前記キャリアの内部を形成することであって、前記複数の容器の各容器の前記フランジは前記キャリアの前記内部において少なくとも部分的に包囲される、形成することと、
を含む、方法。
【請求項６９】
前記第１のブレースフラップ及び前記第２のブレースフラップのそれぞれは、第１の縦方向折り線及び第２の縦方向折り線のそれぞれに沿って前記ボトムパネルに折り曲げ可能に接続されており、
前記第１のブレースフラップ及び前記第２のブレースフラップのそれぞれの少なくとも一部は、前記ボトムパネルから少なくとも１つの湾曲した切れ目線に沿って分離され、
前記第１のブレースフラップ及び前記第２のブレースフラップのそれぞれは、前記第１の容器の前記フランジ及び前記第２の容器の前記フランジと少なくとも部分的に係合する、請求項６８に記載の方法。
【請求項７０】
前記ブランクは、前記第２のトップパネルに折り曲げ可能に接続されている近位部分と、前記近位部分に折り曲げ可能に接続されている遠位部分とを含む保持フラップを更に含み、
前記方法は、前記近位部分を、前記少なくとも１つの容器受け入れ機能部に挿入されている前記第２の容器と少なくとも部分的に係合させるように位置決めするとともに、前記遠位部分を、前記少なくとも１つの容器受け入れ機能部に挿入されている前記第１の容器と少なくとも部分的に係合させるように位置決めすることを更に含む、請求項６８に記載の方法。
【発明の詳細な説明】
【技術分野】
【０００１】
［関連出願の相互参照］
本願は、２０１０年５月１９日付けで出願された米国仮特許出願第６１／３９５，８８５号の利益を主張する。
【０００２】
［参照による援用］
２０１０年５月１９日付けで出願された米国仮特許出願第６１／３９５，８８５号は、その全体が本明細書に提示されているかのように全ての目的で参照により本明細書に援用される。
【背景技術】
【０００３】
本開示は、包括的には、容器を保持及び陳列するためのパッケージ又はキャリアカートンに関する。より具体的には、本開示は、パッケージ内に保持される容器の移動を少なくとも部分的に抑える機能部を有するキャリアに関する。
【発明の概要】
【０００４】
概して、本開示の一態様は、複数の容器を少なくとも部分的に保持するキャリアに関する。各容器はフランジを含む。キャリアは、少なくとも部分的にキャリアの内部の回りに延在する複数のパネルを含む。パネルは、ボトムパネルと、ボトムパネルに折り曲げ可能に接続されている第１のサイドパネルと、ボトムパネルに折り曲げ可能に接続されている第２のサイドパネルと、第１のサイドパネルに折り曲げ可能に接続されている第１のトップパネルと、第２のサイドパネルに折り曲げ可能に接続されている第２のトップパネルとを含む。少なくとも１つの容器受け入れ機能部が少なくともボトムパネル内に延在する。少なくとも１つの容器受け入れ機能部は、複数の容器のうちの少なくとも１つの容器を少なくとも部分的に受け入れることができる。第１の保持フラップが第１のトップパネルに折り曲げ可能に接続されており、第２の保持フラップが第２のトップパネルに折り曲げ可能に接続されている。第１の保持フラップ及び第２の保持フラップのうちの少なくとも一方は、複数の容器のうちの少なくとも１つの容器のフランジの少なくとも一部と係合する。
【０００５】
別の態様では、本開示は包括的には、複数の容器を少なくとも部分的に保持するキャリアに関する。各容器はフランジを含む。キャリアは、少なくとも部分的にキャリアの内部の回りに延在する複数のパネルを含む。パネルは、ボトムパネルと、ボトムパネルに折り曲げ可能に接続されている第１のサイドパネルと、ボトムパネルに折り曲げ可能に接続されている第２のサイドパネルと、第１のサイドパネルに折り曲げ可能に接続されている第１のトップパネルと、第２のサイドパネルに折り曲げ可能に接続されている第２のトップパネルとを含む。少なくとも１つの容器受け入れ機能部が少なくともボトムパネル内に延在することができる。少なくとも１つの容器受け入れ機能部は、複数の容器のうちの少なくとも２つの容器を少なくとも部分的に受け入れることができる。少なくとも１つの容器受け入れ機能部は、少なくとも第１のブレースフラップ（brace flap）と第２のブレースフラップとを含む。第１のブレースフラップ及び第２のブレースフラップのそれぞれは、概ね縦方向に延在することができる。
【０００６】
別の態様では、本開示は包括的には、複数の容器を少なくとも部分的に保持するキャリアを形成するためのブランクに関する。各容器はフランジを含む。ブランクは、ボトムパネルと、ボトムパネルに折り曲げ可能に接続されている第１のサイドパネルと、ボトムパネルに折り曲げ可能に接続されている第２のサイドパネルと、第１のサイドパネルに折り曲げ可能に接続されている第１のトップパネルと、第２のサイドパネルに折り曲げ可能に接続されている第２のトップパネルとを含む複数のパネルを含む。キャリアがブランクから形成されるときに、複数の容器のうちの少なくとも１つの容器を少なくとも部分的に受け入れるために、少なくとも１つの容器受け入れ機能部が少なくともボトムパネル内に延在する。第１の保持フラップが第１のトップパネルに折り曲げ可能に接続されており、第２の保持フラップが第２のトップパネルに折り曲げ可能に接続されている。第１の保持フラップ及び第２の保持フラップのうちの少なくとも一方は、キャリアがブランクから形成されるときに、複数の容器のうちの少なくとも１つの容器のフランジの少なくとも一部と係合する。
【０００７】
別の態様では、本開示は包括的には、複数の容器を少なくとも部分的に保持するキャリアを形成するためのブランクに関する。各容器はフランジを含む。ブランクは、ボトムパネルと、ボトムパネルに折り曲げ可能に接続されている第１のサイドパネルと、ボトムパネルに折り曲げ可能に接続されている第２のサイドパネルと、第１のサイドパネルに折り曲げ可能に接続されている第１のトップパネルと、第２のサイドパネルに折り曲げ可能に接続されている第２のトップパネルとを含む複数のパネルを含む。少なくとも１つの容器受け入れ機能部が少なくともボトムパネル内に延在する。少なくとも１つの容器受け入れ機能部は、キャリアがブランクから形成されるときに、複数の容器のうちの少なくとも２つの容器を少なくとも部分的に受け入れる。少なくとも１つの容器受け入れ機能部は、少なくとも第１のブレースフラップと第２のブレースフラップとを含む。第１のブレースフラップ及び第２のブレースフラップのそれぞれは、概ね縦方向に延在する。
【０００８】
別の態様では、本開示は包括的には、複数の容器を少なくとも部分的に保持するキャリアを形成する方法に関する。各容器はフランジを含む。本方法は、ボトムパネルと、ボトムパネルに折り曲げ可能に接続されている第１のサイドパネルと、ボトムパネルに折り曲げ可能に接続されている第２のサイドパネルと、第１のサイドパネルに折り曲げ可能に接続されている第１のトップパネルと、第２のサイドパネルに折り曲げ可能に接続されている第２のトップパネルと、第１のトップパネルに折り曲げ可能に接続されている第１の保持フラップと、第２のトップパネルに折り曲げ可能に接続されている第２の保持フラップとを含む複数のパネルを含むブランクを得ることを含む。少なくとも１つの容器受け入れ機能部が少なくともボトムパネル内に延在する。本方法は、複数の容器のうちの少なくとも１つの容器の少なくとも一部を少なくとも１つの容器受け入れ機能部に挿入することと、複数のパネルによって少なくとも部分的に画定されるキャリアの内部を形成することとを更に含む。複数の容器の各容器のフランジは、キャリアの内部において少なくとも部分的に包囲される。本方法は、第１の保持フラップ及び第２の保持フラップのうちの少なくとも一方を、複数の容器のうちの少なくとも１つの容器のフランジの少なくとも一部と係合させるように位置決めすることをさらに含む。
【０００９】
別の態様では、本開示は包括的には、複数の容器を少なくとも部分的に保持するキャリアを形成する方法に関する。各容器はフランジを含む。本方法は、ボトムパネルと、ボトムパネルに折り曲げ可能に接続されている第１のサイドパネルと、ボトムパネルに折り曲げ可能に接続されている第２のサイドパネルと、第１のサイドパネルに折り曲げ可能に接続されている第１のトップパネルと、第２のサイドパネルに折り曲げ可能に接続されている第２のトップパネルとを含む複数のパネルを含むブランクを得ることを含む。少なくとも１つの容器受け入れ機能部が少なくともボトムパネル内に延在し、少なくとも第１のブレースフラップと第２のブレースフラップとを含む。第１のブレースフラップ及び第２のブレースフラップのそれぞれは、概ね縦方向に延在する。本方法は、複数の容器のうちの第１の容器の少なくとも一部及び複数の容器のうちの第２の容器の少なくとも一部を少なくとも１つの容器受け入れ機能部に挿入することと、複数のパネルによって少なくとも部分的に画定されるキャリアの内部を形成することとを更に含む。複数の容器の各容器のフランジは、キャリアの内部において少なくとも部分的に包囲される。
【００１０】
当業者は、以下に列挙された図面を参照して実施形態の以下の詳細な説明を読むことによって、上記の利点、並びに多様な追加の実施形態の他の利点及び利益を理解するであろう。
【００１１】
一般的慣行に従い、以下で説明する図面の多様な特徴は、必ずしも縮尺通りに描かれているとは限らない。図面における多様な特徴及び要素の寸法は、本開示の実施形態をより明確に示すために拡大又は縮小されている場合がある。
【図面の簡単な説明】
【００１２】
【図１】本開示の第１の実施形態によるパッケージを形成するブランクの外側平面図である。
【図２】本開示の第１の実施形態によるパッケージの組み立てを示す斜視図である。
【図３】本開示の第１の実施形態によるパッケージの組み立てを示す斜視図である。
【図４】本開示の第１の実施形態によるパッケージの組み立てを示す斜視図である。
【図５】本開示の第１の実施形態によるパッケージの斜視図である。
【図６】本開示の第１の実施形態によるパッケージの斜視図である。
【図７】本開示の第１の実施形態によるパッケージの斜視図である。
【図８】本開示の第１の実施形態によるパッケージの斜視図である。
【図９】本開示の第１の実施形態による開封機能部の動き（activation）を示す斜視図である。
【図１０】本開示の第１の実施形態による容器の取り外しを示す斜視図である。
【図１１】本開示の第２の実施形態によるパッケージを形成するブランクの外側平面図である。
【図１２】本開示の第２の実施形態によるパッケージの組み立てを示す斜視図である。
【図１３】本開示の第２の実施形態によるパッケージの斜視図である。
【図１４】本開示の第３の実施形態によるパッケージを形成するブランクの外側平面図である。
【図１５】本開示の第３の実施形態によるパッケージの斜視図である。
【図１６】本開示の第４の実施形態によるパッケージを形成するブランクの外側平面図である。
【図１７】本開示の第４の実施形態によるパッケージの組み立てを示す斜視図である。
【図１８】本開示の第４の実施形態によるパッケージの斜視図である。
【図１９】本開示の第４の実施形態によるパッケージの斜視図である。
【図２０】本開示の第４の実施形態によるパッケージの斜視図である。
【図２１】本開示の第５の実施形態によるパッケージを形成するブランクの外側平面図である。
【図２２】本開示の第６の実施形態によるパッケージを形成するブランクの外側平面図である。
【図２３】本開示の第６の実施形態によるパッケージの組み立てを示す斜視図である。
【図２４】本開示の第６の実施形態によるパッケージの組み立てを示す斜視図である。
【図２５】本開示の第６の実施形態によるパッケージの端面図である。
【図２６】本開示の第６の実施形態によるパッケージの端面図である。
【図２７】本開示の第７の実施形態によるパッケージを形成するブランクの外側平面図である。
【図２８】本開示の第８の実施形態によるパッケージを形成するブランクの外側平面図である。
【図２９Ａ】本開示の第９の実施形態によるパッケージの斜視図である。
【図２９Ｂ】本開示の第１０の実施形態によるパッケージの斜視図である。
【発明を実施するための形態】
【００１３】
対応する部分は、図面を通して対応する参照符号によって示されている。
【００１４】
本開示内容は、包括的に、容器、ジャー、ボトル、缶等のような物品を保持して陳列するための構造物、スリーブ、カートン等、及びパッケージに関する。物品は、例えば、食品及び飲料製品を包装するために用いることができる。物品は、特定の食料品又は飲料品を包装するのに適した組成の材料から作ることが可能であり、その材料は、ＰＥＴ、ＬＤＰＥ、ＬＬＤＰＥ、ＨＤＰＥ、ＰＰ、ＰＳ、ＰＶＣ、ＥＶＯＨ、及びナイロン等のプラスチック等、アルミニウム及び／若しくは他の金属、ガラス、又はそれらの任意の組み合わせを含むが、これらに限定はされない。
【００１５】
本開示内容によるキャリアは、多数の異なる形状の物品を収容することができる。本開示内容の範囲を限定することを目的とせず、説明することを目的として、以下の詳細な説明では、キャリアの実施形態の中に少なくとも部分的に配置される食品又は飲料製品の容器（例えば、プラスチック容器）について説明する。本明細書において、「下側」、「ボトム」、「上側」、及び「トップ」という用語は、完全に組み立てられたパッケージに関して決定される向きを示す。
【００１６】
第１の実施形態のキャリア１が、図５〜図１０にその組み立てられた状態で示されており、図５〜図１０では、キャリア１は容器Ｃに取り付けられてパッケージ２を形成している。図示の実施形態では、容器Ｃは、上部フランジ部分Ｆを有する１人分の（single-serving）飲料容器として示されているが、本開示から逸脱することなく他の容器をキャリア１内で保持することができる。さらに、第１の実施形態では６つの容器Ｃが３×２構成で配置されているが、他の数量の容器をキャリア内で保持することができ、又は容器は別様に配置してもよい。
【００１７】
図１は、本開示の第１の実施形態によるキャリア１を形成するのに用いられるブランク８の外面３の平面図である。ブランク８は、縦軸Ｌ１と横軸Ｌ２とを有する。ブランク８は、第１の横方向折り線１５において第１のサイドパネル１３に折り曲げ可能に接続されているボトムパネル１１を含む。第２のサイドパネル１７が、第２の横方向折り線１９においてボトムパネル１１に折り曲げ可能に接続されている。第１のトップパネル２１が、横方向折り線２３において第１のサイドパネル１３に折り曲げ可能に接続されている。第２のトップパネル２５が、横方向折り線２７において第２のサイドパネル１７に折り曲げ可能に接続されている。第１の保持フラップ２９が、一連の離間した横方向折り線３１において第１のトップパネル２１に折り曲げ可能に接続されている。第２の保持フラップ３３が、一連の離間した横方向折り線３５において第２のトップパネル２５に折り曲げ可能に接続されている。
【００１８】
第１の保持フラップ２９及び第２の保持フラップ３３のそれぞれは、第１のトップパネル２１及び第２のトップパネル２３のそれぞれ１つに隣接する、それぞれの近位部分、すなわち第１の部分３７、３９を含む。第１の部分３７、３９のそれぞれは、ブランク８がキャリア１に形成されると容器のフランジＦを少なくとも部分的に受け入れる形状であるそれぞれの開口部４１を有する。保持フラップ２９、３３のそれぞれは、それぞれの離間した横方向折り線５７、５９においてそれぞれの第１の部分３７、３９に折り曲げ可能に接続されているそれぞれの遠位部分、すなわち第２の（保持）部分４３、４５を有する。第１の保持フラップ２９の保持部分４３の縁６１が、隣接する突起６３とリセス６５とを有する。第２の保持フラップ３３の保持部分４５の縁６７が、隣接する突起６９とリセス７１とを有する。１つの実施形態では、第１の縁６１の突起６３は、第２の縁６７のリセス７１と横方向に位置合わせされている。第１の縁６１のリセス６５は、第２の縁の突起６９と横方向に位置合わせされている。第１の保持フラップ２９の保持部分４３は、第１の保持フラップ２９の第１の部分３７にある開口部４１のそれぞれに隣接するタブ７２を含むことができ、第２の保持フラップ３３の保持部分４５は、第２の保持フラップ３３の第１の部分３９にある開口部４１のそれぞれに隣接するタブ７３を含むことができる。ブランク８は、本開示の範囲から逸脱することなく他の形状、配置及び／又は構成であってもよい。
【００１９】
１つ又は複数の切れ目を、横折り線１５、１９、２３、２７、３１、３３、５７、５９のそれぞれに含めることができる。図１に示される実施形態では、横折り線１５、１９、２３、２７、３１、３３、５７、５９は、切れ目によってこれらの折り線におけるブランク８の折り曲げを容易にする切れ目線／折り目線である。任意の数の切れ目を折り線のいずれにも形成することができ、切れ目の数及び長さは、例えばブランク８を形成するのに用いられる材料のゲージ及び／又は硬さに従って選択することができる。折り線１５、１９、２３、２７、３１、３３、５７、５９は、本開示から逸脱することなく他の方法（例えば切れ目のない折り目線）によって形成することができる。
【００２０】
ボトムパネル１１は、複数の第１の容器受け入れパターン７５及び第２の容器受け入れパターン７７をそれぞれ含む。各容器受け入れパターン７５、７７は、キャリア１内に少なくとも部分的に収容される容器Ｃの上側フランジ部分Ｆ（図２）を受け入れる形状及びサイズである。図１の実施形態では、各第１の容器受け入れパターン７５は、横方向折り線１５において第１のサイドパネル１３に折り曲げ可能に取り付けられている第１のブレースフラップ７９と、それぞれの横方向折り線８３においてボトムパネル１１に折り曲げ可能に接続されている第２のブレースフラップ８１とを画定している。各第１の容器受け入れパターン７５の第１のブレースフラップ７９及び第２のブレースフラップ８１は、第１の切れ目線８６に沿って分離可能であり得る。各第２の容器受け入れパターン７７は、横方向折り線１９において第２のサイドパネル１７に折り曲げ可能に取り付けられている第１のブレースフラップ８５と、それぞれの横方向折り線８９においてボトムパネル１１に折り曲げ可能に接続されている第２のブレースフラップ８７とを画定している。各第２の容器受け入れパターン７７の第１のブレースフラップ８５及び第２のブレースフラップ８７は、第２の切れ目線９０に沿って分離可能であり得る。１つの実施形態では、切れ目線８６、９０のそれぞれは、それぞれの横方向折り線１５、１９から第１の距離Ｄ１だけ離間することができ、それぞれの横方向折り線８３、８９から第２の距離Ｄ２だけ離間することができる。距離Ｄ１は距離Ｄ２よりも大きいものとすることができる。代替的には、距離Ｄ１、Ｄ２は等しくてもよいか、又は距離Ｄ２が距離Ｄ１よりも大きくてもよい。第１の容器受け入れパターン７５及び第２の容器受け入れパターン７７は、本開示から逸脱することなく他の形状、配置、構成とし、かつ／又は省いてもよい。
【００２１】
図１の実施形態では、ブランク８は、開口部４１のそれぞれに隣接する開封機能部９１を含む。開封機能部９１は、第１のトップパネル２１及び第２のトップパネル２５のそれぞれ１つを横切って第１のサイドパネル１３及び第２のサイドパネル１７のそれぞれ１つに延在する引き裂きストリップを形成するように、それぞれの開口部４１から縦方向Ｌ１に延在する２つの離間した引き裂き線９３、９５を含む。開封機能部９１は、本開示の範囲から逸脱することなく他の形状、配置、構成とし、かつ／又は省いてもよい。
【００２２】
図２〜図５を参照して、ブランク８をキャリアに形成する例示的な方法を以下で説明する。１つの例示的な実施形態では、ブランク８は、容器Ｃをそれぞれの容器受け入れパターン７５、７７に挿入することによってキャリア１に形成することができる。容器Ｃをそれぞれのパターン７５、７７に挿入すると、第１のブレースフラップ７９、８５及び第２のブレースフラップ８１、８７は、容器Ｃの上部がボトムパネル１１に対して上方へ移動するにつれて上方へ折り曲げられる。容器Ｃは、第１の列９６でそれぞれの第１の容器受け入れパターン７５に挿入することができ、容器Ｃは、第２の列９８でそれぞれの第２の容器受け入れパターン７７に挿入することができる。図２に示されるように、それぞれのブレースフラップ対７９、８５及び８１、８７の自由縁６４が、容器Ｃのそれぞれ１つのフランジＦのそれぞれ１つの下面と係合する。サイドパネル１３、１７は、それぞれの折り線１５、１９においてボトムパネル１１に対して上方へ折り曲げることができる。トップパネル２１、２５は、それぞれの折り線２３、２７においてサイドパネル１３、１７に対して折り曲げられ、それによって、トップパネルは容器Ｃの上部の上に配置され、容器の平坦な上部と対面接触することができる。１つの実施形態では、保持フラップ２９、３３は、それぞれの折り線３１、３５においてトップパネル２１、２５に対して下方へ折り曲げることができる。保持フラップ２９、３３が図７に示されるように位置決めされると、各容器ＣのフランジＦの一部が、保持フラップのそれぞれの第１の部分３７、３９のそれぞれの開口部４１内に受け入れられる。図７に示されるように、保持フラップ２９、３３の第１の部分３７、３９のそれぞれは、トップパネル２１、２５に対して斜めの角度で位置決めされる。１つの実施形態では、第１の保持フラップ２９の保持部分４３の突起６３のそれぞれは、第２の列９８の容器ＣのそれぞれのフランジＦと係合し、保持部分４３のタブ７２のそれぞれは、第１の列９６の容器のそれぞれのフランジＦと係合し、底部保持部分（例えば図９の実施形態の４５）が、隣接する内側ブレースフラップ８１、８７を横切って延在することができ、隣接する内側ブレースフラップ８１、８７によって支持されることができる。
【００２３】
ブランク８から形成されたキャリア１は、容器Ｃを確実に保持し、パッケージ２が把持されて運ばれるときの容器の枢動及び他の移動を低減する。さらに、保持フラップ２９、３３は、容器ＣのフランジＦの下にぴったりと保持されるため、容器は、ブランク８のパネル又はフラップのいずれかに糊又は他の接着剤を塗布する必要なくキャリア内に保持される。
【００２４】
図９及び図１０に示されるように、開封機能部９１の１つ又は複数を動かして１つ又は複数の容器Ｃをパッケージ２から取り出すことができる。引き裂きストリップ９１は、キャリア１にディスペンサー開口部９７を形成するために、引き裂き線９３、９５において開封機能部を引き裂くように開口部４１において把持することができる。１つの実施形態では、隣接する第１のブレースフラップ７９は、引き裂きストリップ９１とともにキャリアの残りの部分から引き裂くことができる（図１０）。ディスペンサー開口部９７が形成されると、容器Ｃを把持してこのディスペンサー開口部から取り出すことができる。キャリア１は、他の分配機能部若しくは開封機能部を有することができるか、又は分配機能部及び開封機能部は本開示から逸脱することなく省くことができる。
【００２５】
図１１は、第１の実施形態のブランク８と同様の、第２の実施形態のブランク１０８の外面１０３又は印刷面の平面図である。ブランク１０８は、本開示の第２の実施形態に従って、キャリア１０１及びパッケージ１０２を形成するのに用いられ、パッケージ１０２は、キャリア１０１と、キャリア１０１内に保持される複数の容器Ｃ（図１３）とを含む。ブランク１０８及び第１の実施形態のブランク８の同様又は類似の構成部材を指すように同様又は類似の参照符号が用いられる。
【００２６】
１つの実施形態では、ブランク１０８のボトムパネル１１１は、第１の容器受け入れパターン１７５と第２の容器受け入れパターン１７７とを含む。容器受け入れパターン１７５、１７７のそれぞれは、ブランクの縦方向に概ね延在して２つの容器Ｃを収容する。容器受け入れパターン１７５は、それぞれの折り線１８２、１８３においてボトムパネル１１１にそれぞれ折り曲げ可能に接続されているとともに切れ目線１８６に沿って分離可能なブレースフラップ１７９、１８１を有する。容器受け入れパターン１７７は、それぞれの折り線１８８、１８９においてボトムパネル１１１にそれぞれ折り曲げ可能に接続されているとともに切れ目線１９０に沿って分離可能なブレースフラップ１８５、１８７を有する。ブレースフラップ１７９、１８１、１８５、１８７は、斜めの切れ目線１６０及び湾曲した切れ目１６２によって更に画定することができる。１つの実施形態では、斜めの切れ目線１６０は、キャリアの角部を補強するように、サイドパネル１１３、１１７に近接するボトムパネル１１１の拡大部分を提供する。切れ目１６２は、ブレースフラップ１７９、１８１、１８５、１８７が容器Ｃの湾曲した側面に部分的に一致することを可能にすることができる。容器受け入れパターン１７５のブレースフラップ１７９、１８１は、切れ目線１８６に沿って分離可能であり得る。容器受け入れパターン１７７のブレースフラップ１８５、１８７は切れ目線１９０に沿って分離可能であり得る。切れ目線１８６、１９０のそれぞれは、保持部分１４３、１４５のうちの一方又は双方を受け入れるリセス１９４を含むことができる。
【００２７】
図１１の実施形態では、サイドパネル１１３、１１７はそれぞれの開口部１４１を含む。第１の実施形態と同様に、保持フラップ１２９、１３３はそれぞれの開口部１４１を含む。また、保持フラップ１２９、１３３は、それぞれのトップパネル１２１、１２５に折り曲げ可能に接続されているそれぞれの近位部分すなわち第１の部分１３７、１３９と、それぞれの第１の部分１３７、１３９に折り曲げ可能に接続されているそれぞれの遠位部分すなわち第２の（保持）部分１４３、１４５とを有する。保持部分１４３は、保持フラップ１２９の開口部１４１のそれぞれに隣接するタブ１７２を含むことができ、保持部分１４５は、保持フラップ１３３の開口部１４１のそれぞれに隣接するタブ１７３を含むことができる。
【００２８】
図１１の実施形態では、ブランク１０８は、サイドパネル１１３、１１７に開封機能部１９１を含む。開封機能部１９１は、それぞれのサイドパネル１１３、１１７の２つの離間した斜めの引き裂き線１９３、１９５を含む。開封機能部１９１は、本開示から逸脱することなく他の形状、配置とし、かつ／又は省いてもよい。
【００２９】
第２の実施形態のキャリア１０１は、第１の実施形態のキャリア１と同様にブランク１０８から形成される。図１２に示されるように、容器Ｃは容器受け入れパターン１７５、１７７に挿入され、それによって、フランジＦは、それぞれの上縁１６４において、上方へ折り曲げられたブレースフラップ対１７９、１８１及び１８５、１８７のそれぞれと係合する。第２の実施形態では、２つの容器Ｃが各容器受け入れパターン１７５、１７７を通して配置され、第１の列１９６の１つの容器Ｃが第１のサイドパネル１１３に隣接し、第２の列１９８の１つの容器Ｃが第２のサイドパネル１１７に隣接する。代替的には、本開示の範囲から逸脱することなく２つよりも多いか又は少ない容器を各容器受け入れパターンを通して配置してもよい。
【００３０】
容器Ｃを、容器受け入れパターン１７５、１７７を通して配置した後で、サイドパネル１１３、１１７をボトムパネル１１１に対して折り曲げることができ、トップパネル１２１、１２５をサイドパネルに対して折り曲げることができるため、トップパネルは容器の上部と対面接触する。次に、保持フラップ１２９、１３３のうちの一方を下方へ折り曲げて、第１の実施形態に関して上述したものと同様の方法で容器ＣのフランジＦと係合させる。それぞれの保持フラップ１２９、１３３の保持部分１４３、１４５のうちの一方又は双方を、ブレースフラップ１７９、１８１、１８５、１８７の上縁１６４のリセス１９４内に受け入れることができる。第１の実施形態と同様に、容器Ｃは、キャリアのパネル又はフラップのいずれかに糊又は他の接着剤を塗布する必要なく、キャリア１０１内に固定される。
【００３１】
容器Ｃのうちの１つ又は複数は、それぞれのサイドパネル１１６、１１７にディスペンサー開口部（図示せず）を形成するように開封機能部１９１を動かすことによってパッケージ１０２から取り出すことができる。
【００３２】
図１４は、前述の実施形態のブランク１０８と同様のブランク２０８の第３の実施形態を示す。したがって、同様又は類似の特徴を指すように同様又は類似の参照符号が用いられる。ブランク２０８は、キャリア２０１及びパッケージ２０２に形成することができ、パッケージ２０２は、キャリア２０１と、キャリア２０１内に保持される複数の容器Ｃ（図１５）とを含む。図１４及び図１５の実施形態では、ボトムパネルは、前述の実施形態のブレースフラップと同様のブレースフラップ２７９、２８１、２８５、２８７を有する。ブレースフラップ２７９、２８１、２８５、２８７は、それぞれの折り線２８２、２８３、２８８、２８９においてボトムパネル２１１に折り曲げ可能に接続されている。ブレースフラップ２７９、２８１、２８５、２８７はそれぞれの開口部２９２を有する。
【００３３】
図１５に示されるように、ブランク２０８がキャリア２０１に形成されると、開口部２９２は、容器のそれぞれの肩部Ｓを受け入れるような形状にされるとともに位置決めされる。ブレースフラップ２７９、２８１、２８５、２８７にある開口部２９２は、容器Ｃとの付加的な接点を提供することによってキャリア２０１内に保持される容器Ｃの安定性を高める。開口部２９２は、本開示から逸脱することなく他の形状、配置、構成とし、かつ／又は省いてもよい。
【００３４】
図１６は、本開示の第４の実施形態による、キャリア３０１（図１７〜図２０）及びパッケージ３０２を形成するのに用いられるブランク３０８の平面図であり、パッケージ３０２は、キャリア３０１とキャリア３０１内に保持される複数の容器Ｃ（図１８〜図２０）とを含む。ブランク３０８は、図１１に示されるとともに上述したブランク１０８と同様であり、同様又は類似の参照符号が図面の同様又は類似の要素を示すことができる。ブランク３０８は、第２の実施形態のブランク１０８と同様である、ボトムパネル１１１と、第１のサイドパネル１１３と、第２のサイドパネル１１７と、第２のトップパネル１２５と、保持フラップ１３３とを含む。ブランク３０８は、第１のサイドパネルにある開口部１４１から延在する離間した横方向折り線３２２において第１のサイドパネル１１３に折り曲げ可能に接続されている第１のトップパネル３２１を有する。
【００３５】
図１６〜図２０の実施形態では、パッケージ３０２は前述の実施形態と同様の方法で形成される。容器Ｃは、容器受け入れ開口部１７５、１７７を通して挿入され、それによって、容器は、ブレースフラップ１７９、１８１、１８５、１８７のそれぞれの自由縁と係合し、保持フラップ１３３は、第１の列１９６及び第２の列１９８の容器ＣのフランジＦの下面と係合するように位置決めされる（図１７）。リセス１９４は、図１９及び図２０に示されるように保持フラップ１３３を少なくとも部分的に受け入れることができる。次に、第１のトップパネル３２１を、第１のサイドパネル１１３に対して折り曲げることができ、それによって、第１のトップパネルは、第１のサイドパネルに隣接して容器の上部に重なり、第２のトップパネル１２５と重なるとともに少なくとも部分的に対面接触する（図１８〜図２０）。第１のトップパネル３２１は、糊等の接着剤によって第２のトップパネル１２５に固定することができる。キャリア３０１は、他のパネル若しくはフラップの位置決めステップ、又は本明細書において説明するステップ若しくは方法とは異なる他の方法によって形成することができる。
【００３６】
図２１は、第５の実施形態によるキャリア（図示せず）を形成するのに用いられるブランク４０８の平面図である。ブランク４０８は、前述の実施形態のブランク３０８と同様の特徴を有し、同様又は類似の特徴を指すように同様又は類似の参照符号が用いられる。第２のトップパネル１２５は、第２のトップパネルの各横方向端にそれぞれの肩部４１０を有する。保持フラップ１３３の第１の部分１３９が、保持フラップの第２の部分１４５の縦方向に延在する縁４１４に向かってテーパー状になっているそれぞれの斜めの縁４１２を有する。ブランク４０８は、別様の形状、配置であってもよく、本明細書中の他の実施形態とともに説明したような他の特徴又は本明細書中において説明しない他の特徴を有していてもよい。
【００３７】
図２２は、本開示の第６の実施形態による、キャリア５０１（図２３〜図２６）及びパッケージ５０２を形成するのに用いられるブランク５０８の平面図であり、パッケージ５０２は、キャリア５０１とキャリア５０１内に保持される複数の容器Ｃ（図２５及び図２６）とを含む。ブランク５０８は、図１６に示されるとともに上述したブランク３０８と同様であり、同様又は類似の参照符号が図面の同様又は類似の要素を示すことができる。ブランク５０８は、第４の実施形態のブランク３０８と同様である、ボトムパネル１１１と、第１のサイドパネル１１３と、第２のサイドパネル１１７とを含む。ブランク５０８は、第１のサイドパネルにある開口部１４１から延在する離間した横方向折り線５２２において第１のサイドパネル１１３に折り曲げ可能に接続されている第１のトップパネル５２１及び第２のサイドパネルにある開口部１４１から延在する離間した横方向折り線５２６において第２のサイドパネル１１７に折り曲げ可能に接続されている第２のトップパネル５２５を有する。
【００３８】
図２２〜図２６の実施形態では、パッケージ５０２は、前述の実施形態と同様の方法で形成される。容器Ｃ（それらの容器のうち２つのみを図２３に示す）は、容器受け入れ開口部１７５、１７７を通して挿入され、それによって、ブレースフラップ１７９、１８１、１８５、１８７のそれぞれの自由縁１６４と係合する。第２のサイドパネル１１７は、ボトムパネル１１１に対して上方に折り曲げられ、それによって、第２のサイドパネル１１７に隣接する第２の列１９８の容器ＣのフランジＦが第２のサイドパネルの開口部１４１に受け入れられる。第２のトップパネル５２５は、第２のサイドパネル１１７に対して、図３１に示される位置に折り曲げられ、それによって、第２の列１９８の２つの容器Ｃの上部と重なるとともに対面接触する。第１のサイドパネル１１３は、ボトムパネル１１１に対して上方に折り曲げられ、それによって、第１のサイドパネル１１３に隣接する第１の列１９６の２つの容器ＣのフランジＦ（図２３〜図３６）が第１のサイドパネルのそれぞれの開口部１４１に受け入れられる。第１のトップパネル５２１は、第１のサイドパネル１１３に対して、図２５及び図２６に示される位置に折り曲げられ、それによって、第１の列１９６の２つの容器Ｃの上部に被さり、第２のトップパネル５２５に被さるとともに少なくとも部分的に対面接触する。第１のトップパネル５２１は、糊等の接着剤によって第２のトップパネル５２５に固定することができる。キャリア５０１は、他のパネル若しくはフラップの位置決めステップ、又は本明細書において説明するステップ若しくは方法とは異なる他の方法によって形成することができる。
【００３９】
図２７は、第７の実施形態によるキャリア（図示せず）を形成するのに用いられるブランク６０８の平面図である。ブランク６０８は、前述の実施形態のブランク５０８と同様の特徴を有し、同様又は類似の特徴を指すように同様又は類似の参照符号が用いられる。ブランク６０８は、２つの容器Ｃを３列保持するサイズである。したがって、ボトムパネル６１１は、３つの容器受け入れパターン６７５、６７７、６７８を有し、第１のサイドパネル６１３は３つの開口部１４１を有し、第２のサイドパネル６１７は３つの開口部１４１を有する。各容器受け入れパターン６７５、６７７、６７８は、第１の列の１つの容器Ｃと、第２の列の１つの容器Ｃとを受け入れる。第１のトップパネル６２１及び第２のトップパネル６２５はそれぞれ、ブランク６０８から形成されるキャリア内に収納される容器Ｃの上部と重なるサイズである。ブランク６０８は、本開示から逸脱することなく他のサイズ、形状及び／又は配置であってもよい。
【００４０】
図２８は、第８の実施形態によるキャリア（図示せず）を形成するのに用いられるブランク７０８の平面図である。ブランク７０８は、前述の実施形態のブランク５０８、６０８と同様の特徴を有し、同様又は類似の特徴を指すように同様又は類似の参照符号が用いられる。ブランク７０８は、２つの容器Ｃを６列保持するサイズである。したがって、ボトムパネル７１１は、６つの容器受け入れパターン７７５、７７７、７７８、７８０、７８２、７８４を有し、第１のサイドパネル７１３は６つの開口部１４１を有し、第２のサイドパネル７１７は６つの開口部１４１を有する。第１のトップパネル７２１及び第２のトップパネル７２５はそれぞれ、ブランク７０８から形成されるキャリア内に収納される容器Ｃの上部と重なるサイズである。ブランク７０８は、本開示から逸脱することなく他のサイズ、形状及び／又は配置であってもよい。
【００４１】
図２９Ａ及び図２９Ｂは、それぞれ、本開示の第９の実施形態及び第１０の実施形態を示す。図２９Ａに示されるキャリア８０１は、それぞれのトップパネル８２１、８２５に折り曲げ可能に接続されている保持フラップ８２９、８３３を有する。保持フラップ８２９は、キャリア８０１内で実質的にＶ字形状である第１の部分８３７と第２の部分８４３とを有する。保持フラップ８３３は、トップパネル８２５から斜めに延在する第１の部分８３９と、この第１の部分から延在するとともにボトムパネル８１１に対して概ね平行である第２の部分８４５とを有する。
【００４２】
図２９Ｂに示されるキャリア９０１は、それぞれのトップパネル９２１、９２５に折り曲げ可能に接続されている保持フラップ９２９、９３３を有する。保持フラップ９２９は、キャリア９０１内で実質的にＶ字形状である第１の部分９３７と第２の部分９４３とを有する。保持フラップ９３３は、実質的にＶ字形状である第１の部分９３９と第２の部分９４５とを有し、第１の部分９３９は第２の部分９４３と対面接触しており、第２の部分９４５は第１の保持フラップ９２９の第１の部分９３７と対面接触している。
【００４３】
図１１、図１４及び図１６の実施形態に示されるブランクは、ブランク１０８、２０８、３０８のそれぞれの横方向縁に、小さい湾曲した窪みである複数の位置決め機能部１２０を有する。ブランク及びパッケージは、種々の形式を製品ピッチ化（pitched）機械において実行することを可能にするように、製品ピッチ化機能部を含むように構成することができる。梱包機器は、製品直径に対してピッチ化されているカートン係合機能部又はブランク係合機能部を備える。これによって、通常のピッチ化機械の速度制限なくいずれの形式も実行することを可能にする。一例では、連続するブランクが機械内で重なるように、ブランクの長さは製品の直径より長くてもよい。包装機は、ブランク１０８、２０８、３０８の縁において位置決め機能部１２０と嵌合するカートン係合ラグ（lugs）を含む。例えば、係合ラグは、位置決め機能部の湾曲した縁に合う円形のピンであってもよいが、係合ラグ及び位置決め機能部は他の形状であってもよい。
【００４４】
上記で説明した実施形態では、「容器受け入れ」パターン又は孔という用語は、例えば、パッケージを組み立てるときに容器の少なくとも上側部分が「容器受け入れ」と称される孔を通ることができることを意味するように、広範に解釈されるべきである。
【００４５】
上述した例示的なパッケージの実施形態は、種々の数量の容器Ｃ（例えば２つの列及び３つの行で配置されている６つの容器Ｃ）を収容するが、本開示はこれらの数又は配置に限定されない。一例として、ブランクの幅（例えば図１の横方向Ｌ２に、また図２７及び図２８の例示的な実施形態に示されるように）を増やすとともに、付加的な容器を収容する付加的な機能部を形成することによって、付加的な列の容器を追加することができる。
【００４６】
上記の実施形態では、キャリアは、突出しているフランジＦ及び概ね円形の上側リム又はキャップをそれぞれ有する容器Ｃを収容するように示されている。しかし、他のタイプの容器を本開示の原理に従ってキャリア内に収容することができる。
【００４７】
概して、ブランクは、通常の紙よりも重く硬質であるように、厚みのある板紙で構成され得る。ブランクは、厚紙等の他の材料、又はパッケージが少なくとも概ね上述のように機能できるようにするのに適した特性を有する任意の他の材料で構成することもできる。
【００４８】
ブランクは、例えばクレーコーティングでコーティングすることができる。続いて、クレーコート上に製品、広告、及び他の情報又は画像を印刷してもよい。続いて、ブランクに印刷されている情報を保護するために、ブランクをワニスでコーティングすることもできる。ブランクの片面又は両面を、例えば防湿層でコーティングしてもよい。ブランクは、選択されたパネル又はパネルセクションに１つ又は複数のシート状材料を積層又はコーティングすることもできる。
【００４９】
上記実施形態は、糊によって一緒に接着される１つ又は複数のパネルを有するものとして説明されている場合がある。「糊」という用語は、板紙カートンパネルを所定位置に固定するのに一般的に用いられるあらゆる種類の接着剤を包含することが意図される。
【００５０】
本明細書で用いられる「線」という用語は、直線だけでなく、湾曲線、曲線、又は角度的に変位した線（curved, curvilinear or angularly displaced lines）等の他のタイプの線も含む。
【００５１】
例示的な実施形態によれば、折り線は、それに沿った折り曲げを容易にする、必ずしも直線状ではないが実質的に線状の任意の弱化形態とすることができる。本開示の範囲を狭めるためではないが、より詳細には、折り線は、所望の脆弱線に沿って材料に圧潰部分又は窪み部分を作る鈍いスコアリングナイフ等で形成される線等のスコア線、所望の脆弱線に沿って材料を部分的に貫通する切れ目、及び／若しくは所望の脆弱線に沿って材料を部分的に貫通する一連の切れ目及び／若しくは材料を完全に貫通する一連の切れ目、並びにこれらの機能部の種々の組み合わせを含む。切断を用いて折り線が作られる状況では、通常、切断は、賢明なユーザーでも誤って折り線を引き裂き線とみなす可能性があるほど大きすぎないものとする。
【００５２】
本開示の前述の説明は、本開示の種々の実施形態を例示及び説明するものである。本開示の範囲から逸脱することなく、種々の変更を上記構成内でなし得るので、上記説明に含まれるか又は添付図面に示されている全ての事項が、限定的な意味ではなく例示として解釈されることが意図される。さらに、本開示の範囲は、特許請求の範囲の範囲内にある上述の実施形態の種々の変形形態、組み合わせ及び代替形態等をカバーする。加えて、本開示は、選択された実施形態のみを示し且つ説明しているが、他の組み合わせ、変形及び環境が意図され、本明細書で述べられているような本開示の範囲内にあり、上記教示と同等であり、かつ／又は関連技術分野の技術若しくは知識内にある。さらに、本開示の範囲から逸脱することなく、各実施形態の特定の特徴及び特性を選択的に入れ替え、本開示の他の説明された実施形態及び説明されていない実施形態に適用することができる。
【図１】
2013526467.tif 000003
【図２】
2013526467.tif 000004
【図３】
2013526467.tif 000005
【図４】
2013526467.tif 000006
【図５】
2013526467.tif 000007
【図６】
2013526467.tif 000008
【図７】
2013526467.tif 000009
【図８】
2013526467.tif 000010
【図９】
2013526467.tif 000011
【図１０】
2013526467.tif 000012
【図１１】
2013526467.tif 000013
【図１２】
2013526467.tif 000014
【図１３】
2013526467.tif 000015
【図１４】
2013526467.tif 000016
【図１５】
2013526467.tif 000017
【図１６】
2013526467.tif 000018
【図１７】
2013526467.tif 000019
【図１８】
2013526467.tif 000020
【図１９】
2013526467.tif 000021
【図２０】
2013526467.tif 000022
【図２１】
2013526467.tif 000023
【図２２】
2013526467.tif 000024
【図２３】
2013526467.tif 000025
【図２４】
2013526467.tif 000026
【図２５】
2013526467.tif 000027
【図２６】
2013526467.tif 000028
【図２７】
2013526467.tif 000029
【図２８】
2013526467.tif 000030
【図２９Ａ】
2013526467.tif 000031
【図２９Ｂ】
2013526467.tif 000032
【国際調査報告】
2013526467.tif 000033
2013526467.tif 000034